(57)【要約】      （修正有）【課題】タブレット端末やスマートフォン、ハンディターミナルといった携帯端末からの個人情報の漏洩を低減させる仕組みを提供する。【解決手段】所定の機能が声紋とワードとの組に対応付けて記憶された記憶手段と、音声を検知する音声検知手段と、前記記憶された所定の機能のうち、前記音声検知手段により検知した音声の声紋とワードの組に対応する機能を検索する検索手段と、前記検索手段により検索された機能を実行する制御手段と、を備える。【選択図】図１
2015049622.tif 000002
【特許請求の範囲】
【請求項１】
所定の機能が声紋とワードとの組に対応付けて記憶された記憶手段を備える携帯端末であって、
音声を検知する音声検知手段と、
前記記憶された所定の機能のうち、前記音声検知手段により検知した音声の声紋とワードの組に対応する機能を検索する検索手段と、
前記検索手段により検索された機能を実行する制御手段と、
を備えることを特徴とする携帯端末。
【請求項２】
前記携帯端末は、通常モードと営業モードとの２つの動作モードを備えることを特徴とし、
前記制御手段は、前記動作モードが営業モードの場合に、前記検索手段により検索された機能を実行することを特徴とする請求項１に記載の携帯端末。
【請求項３】
前記記憶手段は、声紋とワードとの組に対応付けて営業モードへ切り替える旨の処理が記憶されていることを特徴とし、
前記制御手段は、さらに、前記音声検知手段により当該声紋とワードとを検知した場合に、営業モードへの切り替えを行うことを特徴とする請求項２に記載の携帯端末。
【請求項４】
前記記憶手段は、声紋とワードとの組に対応付けて営業モードを終了する旨の処理が記憶されていることを特徴とし、
前記制御手段は、さらに、前記音声検知手段により当該声紋とワードとを検知した場合に、営業モードを終了することを特徴とする請求項２または３に記載の携帯端末。
【請求項５】
所定の機能が声紋とワードとの組に対応付けて記憶された記憶手段を備える携帯端末における情報処理方法であって、
前記携帯端末の音声検知手段が、音声を検知する音声検知工程と、
前記携帯端末の検索手段が、前記記憶された所定の機能のうち、前記音声検知工程により検知した音声の声紋とワードの組に対応する機能を検索する検索工程と、
前記携帯端末の制御手段が、前記検索工程により検索された機能を実行する制御工程と、
を備えることを特徴とする情報処理方法。
【請求項６】
所定の機能が声紋とワードとの組に対応付けて記憶された記憶手段を備える携帯端末において実行可能なプログラムであって、
前記携帯端末を、
音声を検知する音声検知手段と、
前記記憶された所定の機能のうち、前記音声検知手段により検知した音声の声紋とワードの組に対応する機能を検索する検索手段と、
前記検索手段により検索された機能を実行する制御手段として機能させることを特徴とするプログラム。
【発明の詳細な説明】
【技術分野】
【０００１】
本発明は、携帯端末、情報処理方法、プログラムに関する。
【背景技術】
【０００２】
近年、顧客への商品説明などにおける対面ビジネスにおいて、タブレット端末やスマートフォン、ハンディターミナルといった携帯端末を用いる場面が多くなっている。
【０００３】
また、このような携帯端末で取り扱い、携帯端末に表示される情報は、ペーパレス化が進んでいることもあり、個人情報が含まれるケースも多くなっている。
【０００４】
特許文献１には、自分が見ているとき画面表示と、対面相手が見ているときの画面表示を、携帯端末の傾きにより制御することで、第三者に見られたくない情報を適切に秘匿にできる技術が記載されている。
【先行技術文献】
【特許文献】
【０００５】
【特許文献１】特開２０１１−１８２３３８号公報
【発明の開示】
【発明が解決しようとする課題】
【０００６】
上述のように携帯端末の利用場面は多種多様になってきているが、電源を入れたまま携帯端末を放置したり、少しの間目を離しているうちに、携帯端末の画面をのぞき見されることも多い。
【０００７】
特に上述のように個人情報が表示される場合には、のぞき見されたり、勝手に操作されることで、情報漏洩の問題が生じることにもつながる。
【０００８】
そこで、本発明は、携帯端末からの個人情報の漏洩を低減させる仕組みを提供することを目的とする。
【課題を解決するための手段】
【０００９】
本発明は、所定の機能が声紋とワードとの組に対応付けて記憶された記憶手段を備える携帯端末であって、音声を検知する音声検知手段と、前記記憶された所定の機能のうち、前記音声検知手段により検知した音声の声紋とワードの組に対応する機能を検索する検索手段と、前記検索手段により検索された機能を実行する制御手段と、を備えることを特徴とする。
【００１０】
また、本発明は、所定の機能が声紋とワードとの組に対応付けて記憶された記憶手段を備える携帯端末における情報処理方法であって、前記携帯端末の音声検知手段が、音声を検知する音声検知工程と、前記携帯端末の検索手段が、前記記憶された所定の機能のうち、前記音声検知工程により検知した音声の声紋とワードの組に対応する機能を検索する検索工程と、前記携帯端末の制御手段が、前記検索工程により検索された機能を実行する制御工程と、を備えることを特徴とする。
【００１１】
また、本発明は、所定の機能が声紋とワードとの組に対応付けて記憶された記憶手段を備える携帯端末において実行可能なプログラムであって、前記携帯端末を、音声を検知する音声検知手段と、前記記憶された所定の機能のうち、前記音声検知手段により検知した音声の声紋とワードの組に対応する機能を検索する検索手段と、前記検索手段により検索された機能を実行する制御手段として機能させることを特徴とする。
【発明の効果】
【００１２】
本発明によれば、携帯端末からの個人情報の漏洩を低減させる仕組みを提供することが可能となる。
【図面の簡単な説明】
【００１３】
【図１】本発明の携帯端末１０１が備える機能を説明する図である。
【図２】本発明の携帯端末１０１のハードウエア構成を説明する図である
【図３】本発明の第１の実施形態において携帯端末１０１のＣＰＵ２０１が実行する処理を示すフローチャートである
【図４】本発明の第２の実施形態において携帯端末１０１のＣＰＵ２０１が実行する処理を示すフローチャートである
【図５】本発明の第１の実施形態において携帯端末１０１に記憶されたデータテーブルを示す図である
【図６】本発明の第２の実施形態において携帯端末１０１に記憶されたデータテーブルを示す図である
【発明を実施するための形態】
【００１４】
＜第１の実施形態＞
以下、図面を参照して、本発明の実施形態を詳細に説明する。
【００１５】
まず、図１を参照して、本発明の実施形態における携帯端末が備える機能について説明する。
【００１６】
記憶部１５１は、所定の機能が声紋とワードとの組に対応付けて記憶されている。具体的には、図５や図６に示すデータテーブルが記憶されている。
【００１７】
音声検知部１５２は、ユーザにより発せられた音声を検知する機能を備える。
【００１８】
検索部１５３は、前記記憶部１５１に記憶された所定の機能のうち、前記音声検知部１５２により検知した音声の声紋とワードの組に対応する機能を検索する機能を備える。
【００１９】
制御部１５４は、前記検索部１５３により検索された機能を実行する機能を備える。
【００２０】
以下、図２を用いて、本発明の実施形態における携帯端末１０１のハードウェア構成を示すブロック図の構成の一例について説明する。
【００２１】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２２】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２３】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２４】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆコントローラで、ネットワーク（例えば、図１に示したＬＡＮ１０３）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２７】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
＜第１の実施形態＞
【００２８】
次に図３を用いて、本発明における携帯端末１０１のＣＰＵ２０１が実行する処理を説明する。
【００２９】
ステップＳ３０１では、携帯端末１０１のＣＰＵ２０１は、ユーザにより設定された現在のモードを読み込む。本実施形態においてモードとは、「営業モード」と「通常モード」の少なくとも２つのモードがあるものとして説明する。
【００３０】
営業モードとは、本実施形態においては、音声により設定された機能を有効にする処理を実行するモードである。すなわち、本発明により実現される機能を適用するモードである。他方、通常モードとは、本発明により実現される機能を適用しないモードである。
【００３１】
ステップＳ３０２では、携帯端末１０１のＣＰＵ２０１は、ステップＳ３０１で読み込んだモードが営業モードであるかを判断する。
【００３２】
営業モードであると判断された場合（ステップＳ３０２：ＹＥＳ）は、処理をステップＳ３０３に移行する。
【００３３】
営業モードではないと判断された場合（ステップＳ３０２：ＮＯ）は、本フローチャートに示す処理を終了する。
【００３４】
ステップＳ３０３では、携帯端末１０１のＣＰＵ２０１は、音声を検知したか否かを判断する
【００３５】
ステップＳ３０４では、携帯端末１０１のＣＰＵ２０１は、ステップＳ３０３で検知した音声について、声紋とフレーズの認識処理を行う。そして、認識された声紋とフレーズとを用いて、図５に示すデータベースを検索する。
【００３６】
ステップＳ３０５では、携帯端末１０１のＣＰＵ２０１は、ステップＳ３０４における検索の結果、声紋とフレーズとに対応する機能（アクション）がデータベースに登録されていたか否かを判断する。
【００３７】
声紋とフレーズとに対応する機能がある場合（ステップＳ３０５：ＹＥＳ）は、処理をステップＳ３０６に移行する。
【００３８】
声紋とフレーズとに対応する機能がない場合（ステップＳ３０５：ＮＯ）は、処理をステップＳ３０３に移行する。
【００３９】
ステップＳ３０６では、携帯端末１０１のＣＰＵ２０１は、ステップＳ３０４で対応する機能として検索された機能を適用する。
【００４０】
以上の処理により、営業モードの場合には、音声により予め設定された機能を適用することが可能となる。
ここで図５に示すデータベースについて説明する。
【００４１】
図５に示すデータは、携帯端末１０１に記憶されたデータである。図５のように、フレーズと声紋とアクションとがそれぞれ対応づけて登録されている。
【００４２】
ステップＳ３０４では、携帯端末１０１のＣＰＵ２０１は、ステップＳ３０３で検知した音声をもとに、当該音声の声紋とフレーズを判断し、当該声紋とフレーズとの組を図５のテーブルから検索する。
【００４３】
そして、該当するデータが図５のデータテーブルに登録されている場合は、ステップＳ３０５においてＹＥＳと判断される。そして、ステップＳ３０６で当該声紋とフレーズとの組に対応するアクションを実行する。
＜第２の実施形態＞
【００４４】
次に図４を用いて本発明における携帯端末１０１のＣＰＵ２０１が実行する処理を説明する。
【００４５】
ステップＳ４０１では、携帯端末１０１のＣＰＵ２０１は、音声を検知したか否かを判断する。
【００４６】
音声を検知した場合（ステップＳ４０１：ＹＥＳ）は、処理をステップＳ４０２に移行する。
【００４７】
音声を検知していない場合（ステップＳ４０１：ＮＯ）は、音声を検知するまで待機する。
【００４８】
すなわち、音声を検知したことに応答して、ステップＳ４０２以降の処理が実行される。
【００４９】
ステップＳ４０２では、携帯端末１０１のＣＰＵ２０１は、現在設定されているモードが営業モードであるか否かを判断する。
【００５０】
なお、本実施形態においては、営業モードとそれ以外のモードとが存在するものとして説明する。営業モードとは、本実施形態においては、音声により設定された機能を有効にする処理を実行するモードである。すなわち、本発明により実現される機能を適用するモードである。他方、通常モードとは、本発明により実現される機能を適用しないモードである。
【００５１】
営業モードである場合（ステップＳ４０２：ＹＥＳ）は、処理をステップＳ４０３に移行する。
【００５２】
営業モードでない場合（ステップＳ４０２：ＮＯ）は、処理をステップＳ４０６に移行する。
【００５３】
ステップＳ４０３では、携帯端末１０１のＣＰＵ２０１は、ステップＳ４０１で検知した音声が終了ワードであるか否かを判断する。ここで終了ワードとは、図６に示す「以上です」のように、アクションとして営業モードの終了が登録されているワードを意味する。ここでの処理においても、声紋とワードとの組み合わせによって、終了ワードであるか否かを判断する。
【００５４】
終了ワードである場合（ステップＳ４０３：ＹＥＳ）は、処理をステップＳ４０８に移行する。
【００５５】
終了ワードではない場合（ステップＳ４０３：ＮＯ）は、処理をステップＳ４０４に移行する。
【００５６】
ステップＳ４０４では、携帯端末１０１のＣＰＵ２０１は、ステップＳ４０１で検知した音声について、その声紋とワードとから対応するアクション（機能）が図６のテーブルに登録されているかを判断する。
【００５７】
対応するアクションがある場合（ステップＳ４０４：ＹＥＳ）は、処理をステップＳ４０５に移行する。
【００５８】
対応するアクションがない場合（ステップＳ４０４：ＮＯ）は、本フローチャートに示す処理を終了する。
【００５９】
ステップＳ４０６では、携帯端末１０１のＣＰＵ２０１は、ステップＳ４０１で検知した音声について、その声紋とワードとが営業モードに切り替えるためのワードであるかを判断する。ここで営業モードに切り替えるためのワードとは、本実施形態においては、図６における「よろしくお願いします」というワードのように、営業モードに切り替える旨のアクションが設定されたワードを意味する。
【００６０】
営業モードに切り替えるためのワードである場合（ステップＳ４０６：ＹＥＳ）は、処理をステップＳ４０７に移行する。
【００６１】
営業モードに切り替えるためのワードではない場合（ステップＳ４０６：ＮＯ）は、本フローチャートに示す処理を終了する。
【００６２】
ステップＳ４０７では、携帯端末１０１のＣＰＵ２０１は、モードを営業モードに切り替える。そして本フローチャートに示す処理を終了する。
【００６３】
ステップＳ４０８では、携帯端末１０１のＣＰＵ２０１は、営業モードを終了し、他のモード（例えば、本実施形態においては通常モード）に切り替える。そして、本フローチャートに示す処理を終了する。
【００６４】
以上の第１および第２の実施形態で説明した処理により、対面ビジネス等の場合に使用されるワードと、それに対応する機能を登録しておくことで、ビジネスの場面で使用する場合におけるセキュリティを高めることが可能となる。
【００６５】
また、第２の実施形態のように、営業モードへの切り替える（または営業モードを終了する）ためのワードを登録しておくことで、ユーザは意識的に切り替え処理を行うことなく、モードを切り替えることが可能となる。
【００６６】
なお、上述した各種データの構成及びその内容はこれに限定されるものではなく、用途や目的に応じて、様々な構成や内容で構成されることは言うまでもない。
【００６７】
また、本発明におけるプログラムは、図３、図４の処理をコンピュータに実行させるプログラムである。なお、本発明におけるプログラムは、図３、図４の各処理ごとのプログラムであってもよい。
【００６８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００６９】
この場合、記録媒体から読み出されたプログラム自体が本発明の新規な機能を実現することになり、そのプログラムを記録した記録媒体は本発明を構成することになる。
【００７０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００７１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７３】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７４】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００７５】
１０１  携帯端末
【図１】
2015049622.tif 000003
【図２】
2015049622.tif 000004
【図３】
2015049622.tif 000005
【図４】
2015049622.tif 000006
【図５】
2015049622.tif 000007
【図６】
2015049622.tif 000008